【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
血圧のＮａ／Ｋ比感受性を評価する装置であって、
或る被験者について、或る期間にわたってそれぞれ複数回測定された血圧データと尿中のＮａ／Ｋ比データとを、互いに対応付けて入力するデータ入力部と、
Ｎａ／Ｋ比を表す第１座標軸と血圧を表す第２座標軸とが作る平面上に、互いに対応付けられた上記Ｎａ／Ｋ比データと上記血圧データとで定まるデータ点を表して散布図を作成し、この散布図における上記データ点の分布に応じて、上記被験者の感受性タイプを予め定められた現実に存在する４つのタイプのいずれかとして判定するタイプ判定部と、
上記タイプ判定部による判定結果を表す情報を出力する出力部と
を備えたことを特徴とする装置。
【請求項２】
請求項１に記載の装置において、
上記４つのタイプは、
上記平面上で、上記データ点が分布する下限部から上限部までの範囲にわたって、Ｎａ／Ｋ比に対して血圧が、１つの直線に沿って変化する第１タイプと、
上記平面上で、上記データ点が分布する下限部から上限部までの範囲にわたって、Ｎａ／Ｋ比に対して血圧が、上記下限部と上記上限部とを結ぶ１つの直線よりも上記第１座標軸に対して凸に湾曲して変化する第２タイプと、
上記平面上で、上記データ点が分布する下限部から上限部までの範囲にわたって、Ｎａ／Ｋ比に対して血圧が、上記下限部と上記上限部とを結ぶ１つの直線よりも上記第１座標軸に対して凹に湾曲して変化する第３タイプと、
Ｎａ／Ｋ比と血圧との間の相関が無い第４タイプと
であることを特徴とする装置。
【請求項３】
請求項２に記載の装置において、
上記タイプ判定部は、
上記分布について２次関数による回帰分析を行って、２次回帰曲線と、有意性を示すｐ値とを求め、このｐ値が予め定められた第１閾値未満であるか否かに応じて、上記被験者の感受性タイプが上記第２タイプと上記第３タイプとのグループに属するか又は上記第１タイプと上記第４タイプとのグループに属するかを判定し、
上記被験者の感受性タイプが上記第２タイプと上記第３タイプとのグループに属するとき、上記２次回帰曲線の２次の項の係数の正負に応じて、上記被験者の感受性タイプが、上記第２タイプであるか又は上記第３タイプであるかを判定する一方、
上記被験者の感受性タイプが上記第１タイプと上記第４タイプとのグループに属するとき、さらに上記分布について１次関数による回帰分析を行って、１次回帰直線と、有意性を示すｐ値とを求め、このｐ値が予め定められた第２閾値未満であるか否かに応じて、上記被験者の感受性タイプが上記第１タイプであるか又は上記第４タイプであるかを判定することを特徴とする装置。
【請求項４】
請求項１から３までのいずれか一つに記載の装置において、
上記データ入力部は、上記測定された血圧データと、上記測定されたＮａ／Ｋ比データとを、予め定められた一定の時間差を介して対応付けるようになっていることを特徴とする装置。
【請求項５】
請求項１から３までのいずれか一つに記載の装置において、
上記被験者について、上記測定された血圧データの時間経過による変化と、上記測定されたＮａ／Ｋ比データの時間経過による変化との間の時間差を取得する時間差取得部と、
上記測定された血圧データと、上記測定されたＮａ／Ｋ比データとを、上記時間差を介して対応付けるデータ対応付け部とを備えたことを特徴とする装置。
【請求項６】
請求項１から５までのいずれか一つに記載の装置において、
上記出力部は、上記散布図を表した画像を出力することを特徴とする装置。
【請求項７】
請求項３に記載の装置において、
上記被験者の感受性タイプが上記第２タイプまたは上記第３タイプであるとき、上記平面上で、上記２次回帰曲線に近似するように、それぞれ上記下限部、上記上限部を通り、かつ、上記２次回帰曲線に沿った或る遷移点で屈曲して連なる第１の直線と第２の直線を求める２直線近似部を備えたことを特徴とする装置。
【請求項８】
請求項７に記載の装置において、
上記出力部は、上記被験者の感受性タイプが上記第２タイプまたは上記第３タイプであるとき、上記平面上に上記第１および第２の直線を表した画像を出力することを特徴とする装置。
【請求項９】
請求項６から８までのいずれか一つに記載の装置において、
上記出力部は、上記平面上に血圧の基準線を表した画像を出力することを特徴とする装置。
【請求項１０】
請求項１から９までのいずれか一つに記載の装置において、
上記出力部は、上記４つのタイプのうちの上記被験者の感受性タイプに応じたアドバイスを出力することを特徴とする装置。
【請求項１１】
請求項１０に記載の装置において、
上記４つのタイプに応じたアドバイスの文例をそれぞれ格納したアドバイステーブルを備え、上記アドバイスの文例のうち少なくとも一つは上記データ点の分布に応じた値を当てはめるべき欄を含み、
上記アドバイステーブルから上記被験者の感受性タイプに応じた文例を読み出すとともに、この文例が上記欄を含むとき、この欄に上記データ点の分布に応じた値を当てはめてアドバイスを作成するアドバイス作成部とを備えたことを特徴とする装置。
【請求項１２】
請求項７または８に記載の装置において、
上記４つのタイプに応じたアドバイスの文例をそれぞれ格納したアドバイステーブルを備え、上記第２タイプについての文例は上記遷移点に応じた値を当てはめるべき欄を含み、
上記被験者の感受性タイプが上記第２タイプであるとき、上記アドバイステーブルから上記第２タイプについての文例を読み出すとともに、この文例の上記欄に上記遷移点に応じた値を当てはめてアドバイスを作成するアドバイス作成部とを備えたことを特徴とする装置。
【請求項１３】
請求項１から１２までのいずれか一つに記載の装置において、
上記血圧データを測定する血圧計と、
上記尿中のＮａ／Ｋ比データを測定する測定器と
を備えたことを特徴とする装置。
【請求項１４】
血圧のＮａ／Ｋ比感受性を評価する方法であって、
或る被験者について、或る期間にわたってそれぞれ複数回測定された血圧データと尿中のＮａ／Ｋ比データとを、互いに対応付けて入力し、
Ｎａ／Ｋ比を表す第１座標軸と血圧を表す第２座標軸とが作る平面上に、互いに対応付けられた上記血圧データと上記Ｎａ／Ｋ比データとで定まるデータ点を表して散布図を作成し、
この散布図における上記データ点の分布に応じて、上記被験者の感受性タイプを予め定められた現実に存在する４つのタイプのいずれかとして判定し、
この判定の結果を表す情報を出力することを特徴とする方法。
【請求項１５】
請求項１４に記載の方法をコンピュータに実行させるためのプログラム。
【手続補正２】
【補正対象書類名】明細書
【補正対象項目名】０００５
【補正方法】変更
【補正の内容】
【０００５】
本発明者が、複数の被験者について、被験者ごとに、或る期間にわたって収縮期血圧データと尿中のＮａ／Ｋ比データとを対応付けて複数回取得し、図７Ａ〜図７Ｄに示すように尿中のＮａ／Ｋ比を表す横軸（ｘ軸）と収縮期血圧を表す縦軸（ｙ軸）とが作る平面９９上に散布図を作成して分析したところ、収縮期血圧と尿中のＮａ／Ｋ比との間の相関関係には、４つのタイプが現実に存在することが判った。４つのタイプとは、
−  図７Ａに示すように、平面９９上で、データ点が分布する下限部ＤＬ１から上限部ＤＵ１までの範囲にわたって、Ｎａ／Ｋ比に対して血圧が、１つの直線Ｌ１に沿って変化するタイプ（これを「第１タイプ」と呼ぶ。）と、
−  図７Ｂに示すように、平面９９上で、データ点が分布する下限部ＤＬ２から上限部ＤＵ２までの範囲にわたって、Ｎａ／Ｋ比に対して血圧が、下限部ＤＬ２と上限部ＤＵ２とを結ぶ１つの直線Ｌ２よりも横軸（ｘ軸）に対して凸（下に凸）に湾曲して変化するタイプ（これを「第２タイプ」と呼ぶ。上記分布を近似した曲線を符号Ｃ２で示す。）と、
−  図７Ｃに示すように、平面９９上で、データ点が分布する下限部ＤＬ３から上限部ＤＵ３までの範囲にわたって、Ｎａ／Ｋ比に対して血圧が、下限部ＤＬ３と上限部ＤＵ３とを結ぶ１つの直線Ｌ３よりも横軸（ｘ軸）に対して凹（上に凸）に湾曲して変化するタイプ（これを「第３タイプ」と呼ぶ。上記分布を近似した曲線を符号Ｃ３で示す。）と、
−  図７Ｄに示すように、Ｎａ／Ｋ比と血圧との間の相関が無いタイプ（これを「第４タイプ」と呼ぶ。）と
である。
【手続補正３】
【補正対象書類名】明細書
【補正対象項目名】００４２
【補正方法】変更
【補正の内容】
【００４２】
別の局面では、この発明の方法は、
血圧のＮａ／Ｋ比感受性を評価する方法であって、
或る被験者について、或る期間にわたってそれぞれ複数回測定された血圧データと尿中のＮａ／Ｋ比データとを、互いに対応付けて入力し、
Ｎａ／Ｋ比を表す第１座標軸と血圧を表す第２座標軸とが作る平面上に、互いに対応付けられた上記血圧データと上記Ｎａ／Ｋ比データとで定まるデータ点を表して散布図を作成し、
この散布図における上記データ点の分布に応じて、上記被験者の感受性タイプを予め定められた現実に存在する４つのタイプのいずれかとして判定し、
この判定の結果を表す情報を出力することを特徴とする。
【手続補正４】
【補正対象書類名】明細書
【補正対象項目名】００７１
【補正方法】変更
【補正の内容】
【００７１】
次に、ステップＳ２７に示すように、このｐ値が予め定められた第２閾値（この例では、０．０５とする。）未満であるか否かを判定する。ここで、ｐ値が第２閾値（＝０．０５）未満であれば（ステップＳ２７でＹＥＳ）、被験者の感受性タイプが図４Ａ中に示すような第１タイプ（つまり、直線タイプ）であると判定する（ステップＳ２８）。一方、図３のステップＳ２７で、ｐ値が第１閾値（＝０．０５）以上であれば（ステップＳ２７でＮＯ）、被験者の感受性タイプが図４Ｄ中に示すような第４タイプ（つまり、相関無しタイプ）であると判定する（ステップＳ２９）。